(57)【特許請求の範囲】
【請求項１】
短距離無線通信手段を用いて、他の短距離無線通信手段を有する通信機器の存在を検出する機能を備えた情報端末装置において、
上記短距離無線通信手段を用いて周辺に存在する各通信機器に無線通信接続して存在を確認し、無線通信接続が確立された通信機器の組み合わせをまとめた通信機器リストを生成するリスト化手段と、
上記通信機器リストを所定の機能毎に対応付けて記憶するリスト記憶手段と、
上記リスト化手段が検出した現所在地における通信機器リストと上記リスト記憶手段に予め記憶した所定の機能毎に対応付けた通信機器リストとを比較して、上記リスト記憶手段に記憶された所定の機能毎に類似度を算出する類似度算出手段と、
上記類似度算出手段が算出した類似度の値に応じて、上記リスト記憶手段に予め記憶した通信機器リストに対応付けた所定の機能を読み出して設定する自動機能設定手段と
を備えたことを特徴とする情報端末装置。
【請求項２】
リスト化手段は、短距離無線通信手段を用いて現所在地の周辺に存在する通信機器に探索コマンドを常時送信し、該探索コマンドに対して応答した上記通信機器の通信機器リストを生成し、
自動機能設定手段は、類似度算出手段が算出した類似度が所定値を超えると、リスト記憶手段に予め記憶した通信機器リストに対応付けた所定の機能を読み出して設定することを特徴とする請求項１記載の情報端末装置。
【請求項３】
類似度算出手段は、リスト化手段が周辺に存在する通信機器に無線通信接続した際に得られる通信機器の種類情報を用いて類似度を算出するにあたり、同一種類情報を有するもの同士を同一の通信機器と仮定することを特徴とする請求項１記載の情報端末装置。
【請求項４】
短距離無線通信手段を用いて他の通信機器の存在を検出する機能を有する複数の通信機器からなるシステムであって、
上記複数の通信機器は、
上記短距離無線通信手段を用いて周辺に存在する他の通信機器毎に無線通信接続して存在を確認し、無線通信接続が確立された通信機器の組み合わせをまとめた通信機器リストを生成するリスト化手段と、
上記通信機器リストを所定の機能毎に対応付けて記憶するリスト記憶手段と、
上記リスト化手段が検出した現所在地における通信機器リストと上記リスト記憶手段に予め記憶した所定の機能毎に対応付けた通信機器リストとを比較して、上記リスト記憶手段に記憶された所定の機能毎に類似度を算出する類似度算出手段と、
上記類似度算出手段が算出した類似度の値に応じて、上記リスト記憶手段に予め記憶した通信機器リストに対応付けた所定の機能を読み出して設定する自動機能設定手段と
をそれぞれ備えたことを特徴とする自動機能設定システム。
【請求項５】
リスト化手段は、短距離無線通信手段を用いて現所在地の周辺に存在する通信機器に探索コマンドを常時送信するとともに、該探索コマンドに対して応答した上記通信機器の通信機器リストを生成し、
自動機能設定手段は、類似度算出手段が算出した類似度が所定値を超えると、リスト記憶手段に予め記憶した通信機器リストに対応付けた所定の機能を読み出して設定することを特徴とする請求項４記載の自動機能設定システム。
【請求項６】
類似度算出手段は、リスト化手段が周辺に存在する通信機器に無線通信接続した際に得られる通信機器の種類情報を用いて類似度を算出するにあたり、同一種類情報を有するもの同士を同一の通信機器と仮定することを特徴とする請求項４記載の自動機能設定システム。
【請求項７】
短距離無線通信手段を用いて他の通信機器の存在を検出する機能を有する通信機器の機能設定方法であって、
上記短距離無線通信手段を用いて周辺に存在する各通信機器に無線通信接続して存在を確認し、無線通信接続が確立された通信機器の組み合わせをまとめた通信機器リストを生成するリスト化ステップと、
上記リスト化ステップにて検出された現所在地における通信機器リストと所定の機能毎に対応付けて予め記憶した通信機器リストとを比較して、上記所定の機能毎に類似度を算出する類似度算出ステップと、
上記類似度算出ステップにて算出された類似度の値に応じて、予め記憶した通信機器リストに対応付けた上記所定の機能を読み出して設定する自動機能設定ステップと
を備えたことを特徴とする自動機能設定方法。
【請求項８】
リスト化ステップにて、短距離無線通信手段を用いて現所在地の周辺に存在する通信機器に探索コマンドを常時送信するとともに、該探索コマンドに対して応答した上記通信機器の通信機器リストを生成し、
自動機能設定ステップにて、類似度算出ステップで算出された類似度が所定値を超えると、予め記憶した通信機器リストに対応付けた所定の機能を読み出して設定することを特徴とする請求項７記載の自動機能設定方法。
【請求項９】
類似度算出ステップにて、リスト化ステップで周辺に存在する通信機器に無線通信接続した際に得られる通信機器の種類情報を用いて類似度を算出するにあたり、同一種類情報を有するもの同士を同一の通信機器と仮定することを特徴とする請求項７記載の自動機能設定方法。
【発明の詳細な説明】
【０００１】
【発明の属する技術分野】
この発明はＢｌｕｅｔｏｏｔｈ（登録商標）のような短距離無線通信手段を有する通信機器による周辺機器の探索機能を利用して、所定の機器が検出されるとこれに対応付けた所定の機能を自動的に設定することができる情報端末装置及び自動機能設定システム並びに方法に関するものである。
【０００２】
【従来の技術】
従来、携帯電話端末などの情報端末装置を介して遠隔地におかれた通信機能を有する情報機器の操作を行う方法としては、電話回線を利用する方法や赤外線通信を利用する方法が一般的であった。例えば、特開２０００−１９７１５４号公報には、電話網などの回線を用いて遠隔地より自宅内の電子機器を操作する方法について言及されている。
【０００３】
一方、近年、数メートル程度の短距離におかれた情報機器の間を無線通信接続する短距離無線通信方式が注目されている。このような短距離無線通信方式の一種であるＢｌｕｅｔｏｏｔｈ（登録商標）短距離無線通信方式において、個々のデバイスは一意に定められたデバイスアドレスが与えられており、相手側の固有なデバイスアドレスを指定して接続要求を送出することで無線通信接続をすることができる。
また、任意の通信端末からの探索要求に対して自己のデバイスアドレスを応答するような端末規格も定められており、自端末より探索コマンドを発行することによって周辺に存在する探索可能な通信端末から一度にデバイスアドレスのリストを取得したうえで、通信接続相手を選択して接続することができる。
【０００４】
上述したＢｌｕｅｔｏｏｔｈ（登録商標）のような短距離無線通信方式の代表的な利用用途を以下に挙げる。
先ず、携帯電話端末とヘッドセット装置や自動車のオーディオ装置との間を短距離無線通信方式で無線通信接続し、当該ヘッドセット装置や自動車のオーディオ装置を携帯電話端末のスピーカ・マイクの代替手段として利用するものがある。これによって、自動車の運転中においても安全に音声通話することができる。
また、ＰＣ（パーソナルコンピュータ）とＰＤＡ（パーソナルディジタルアシスタント）などの情報端末装置との間を短距離無線通信方式で通信接続してスケジュールデータなどの個人情報データを同期処理するものがある。
このとき、実際に２つの情報機器の間を無線通信接続するにあたって、ユーザは周囲に目的のデバイスが見つかるような位置に移動した上で、次にどのデバイスと無線通信接続するのかを指定したうえで目的の機能を設定・起動するといった一連の操作を行う。
【０００５】
【発明が解決しようとする課題】
従来の短距離無線通信手段を有する情報端末装置は以上のように構成されているので、定型的な作業を行う際でも、その都度、周辺デバイスの確認や機能の設定・起動を指示しなくてはならず、利便性に欠けるという課題があった。
【０００６】
上記課題を具体的に説明すると、定型的な作業として、上述した携帯電話端末とヘッドセット装置や自動車のオーディオ装置との間を短距離無線通信接続して携帯電話のスピーカ・マイクの代替手段とすることなどは、例えば自動車に乗ったら必ず行われるような作業である。従来の携帯情報端末では上記のような作業を行う場合、先ず、携帯電話端末のユーザが通信接続相手であるヘッドセット装置や自動車のオーディオ装置の位置を確認してこれらと短距離無線通信接続する。このあと、携帯電話端末に対してスピーカ・マイクの代替手段としての動作に係る設定を行って上記機能を起動させる。
このように、定型的な作業を行うに際しても上記のような一連の操作を行う必要があり、ユーザの利便性に欠ける面があった。
【０００７】
この発明は上記のような課題を解決するためになされたもので、Ｂｌｕｅｔｏｏｔｈ（登録商標）のような短距離無線通信手段を有する通信機器による周辺機器の探索機能を利用して、所定の機器が検出されるとこれに対応付けた所定の機能を自動的に設定することができる情報端末装置及び自動機能設定システム並びに方法を得ることを目的とする。
【０００８】
【課題を解決するための手段】
この発明に係る情報端末装置は、短距離無線通信手段を用いて他の短距離無線通信手段を有する通信機器の存在を検出する機能を備えた情報端末装置において、短距離無線通信手段を用いて周辺に存在する各通信機器に無線通信接続して存在を確認し、無線通信接続が確立された通信機器の組み合わせをまとめた通信機器リストを生成するリスト化手段と、通信機器リストを所定の機能毎に対応付けて記憶するリスト記憶手段と、リスト化手段が検出した現所在地における通信機器リストとリスト記憶手段に予め記憶した所定の機能毎に対応付けた通信機器リストとを比較して、リスト記憶手段に記憶された所定の機能毎に類似度を算出する類似度算出手段と、類似度算出手段が算出した類似度の値に応じて、リスト記憶手段に予め記憶した通信機器リストに対応付けた所定の機能を読み出して設定する自動機能設定手段とを備えるものである。
【０００９】
この発明に係る情報端末装置は、リスト化手段が短距離無線通信手段を用いて現所在地の周辺に存在する通信機器に探索コマンドを常時送信し、該探索コマンドに対して応答した通信機器の通信機器リストを生成し、類似度算出手段が算出した類似度が所定値を超えると、自動機能設定手段がリスト記憶手段に予め記憶した通信機器リストに対応付けた所定の機能を読み出して設定するものである。
【００１０】
この発明に係る情報端末装置は、リスト化手段が周辺に存在する通信機器に無線通信接続した際に得られる通信機器の種類情報を用いて、類似度算出手段が類似度を算出するにあたり、同一種類情報を有するもの同士を同一の通信機器と仮定するものである。
【００１１】
この発明に係る自動機能設定システムは、短距離無線通信手段を用いて他の通信機器の存在を検出する機能を有する複数の通信機器からなるシステムであって、短距離無線通信手段を用いて周辺に存在する他の通信機器毎に無線通信接続して存在を確認し、無線通信接続が確立された通信機器の組み合わせをまとめた通信機器リストを生成するリスト化手段と、通信機器リストを所定の機能毎に対応付けて記憶するリスト記憶手段と、リスト化手段が検出した現所在地における通信機器リストとリスト記憶手段に予め記憶した所定の機能毎に対応付けた通信機器リストとを比較して、リスト記憶手段に記憶された所定の機能毎に類似度を算出する類似度算出手段と、類似度算出手段が算出した類似度の値に応じて、リスト記憶手段に予め記憶した通信機器リストに対応付けた所定の機能を読み出して設定する自動機能設定手段とを複数の通信機器がそれぞれ備えるものである。
【００１２】
この発明に係る自動機能設定システムは、リスト化手段が短距離無線通信手段を用いて現所在地の周辺に存在する通信機器に探索コマンドを常時送信するとともに、該探索コマンドに対して応答した通信機器の通信機器リストを生成し、類似度算出手段が算出した類似度が所定値を超えると、自動機能設定手段がリスト記憶手段に予め記憶した通信機器リストに対応付けた所定の機能を読み出して設定するものである。
【００１３】
この発明に係る自動機能設定システムは、リスト化手段が周辺に存在する通信機器に無線通信接続した際に得られる通信機器の種類情報を用いて、類似度算出手段が類似度を算出するにあたり、同一種類情報を有するもの同士を同一の通信機器と仮定するものである。
【００１４】
この発明に係る自動機能設定方法は、短距離無線通信手段を用いて他の通信機器の存在を検出する機能を有する通信機器の機能設定方法であって、短距離無線通信機能を用いて周辺に存在する各通信機器に無線通信接続して存在を確認し、無線通信接続が確立された通信機器の組み合わせをまとめた通信機器リストを生成するリスト化ステップと、リスト化ステップにて検出された現所在地における通信機器リストと所定の機能毎に対応付けて予め記憶した通信機器リストとを比較して、所定の機能毎に類似度を算出する類似度算出ステップと、類似度算出ステップにて算出された類似度の値に応じて、予め記憶した通信機器リストに対応付けた所定の機能を読み出して設定する自動機能設定ステップとを備えるものである。
【００１５】
この発明に係る自動機能設定方法は、リスト化ステップにて、短距離無線通信手段を用いて現所在地の周辺に存在する通信機器に探索コマンドを常時送信するとともに、該探索コマンドに対して応答した通信機器の通信機器リストを生成し、自動機能設定ステップにて、類似度算出ステップで算出された類似度が所定値を超えると、予め記憶した通信機器リストに対応付けた所定の機能を読み出して設定するものである。
【００１６】
この発明に係る自動機能設定方法は、類似度算出ステップにて、リスト化ステップで周辺に存在する通信機器に無線通信接続した際に得られる通信機器の種類情報を用いて類似度を算出するにあたり、同一種類情報を有するもの同士を同一の通信機器と仮定するものである。
【００１７】
【発明の実施の形態】
以下、この発明の実施の一形態を説明する。
実施の形態１．
図１はこの発明の実施の形態１による自動機能設定システムの構成を示す図である。図において、１は携帯電話の通信網を介して音声通話通信する機能の他に、Ｂｌｕｅｔｏｏｔｈ（登録商標）などの短距離無線データ通信手段や、ユーザのスケジュールや名刺データを管理するＰＩＭ機能を有する携帯情報端末（情報端末装置、通信機器）で、ユーザが常時持ち歩いて使用する。２はユーザが乗車する乗用車に搭載した車載型情報端末（通信機器）であって、短距離無線通信手段を有して携帯情報端末１と通信可能な短距離無線通信機能と、短距離無線通信機能によって携帯情報端末１と無線通信接続して携帯情報端末１の音声入出力の代替手段として動作する機能とを有する。また、車載型情報端末２は、デバイスアドレスとして００：００：００：００：０２、デバイス名としてＭｙ  Ａｕｔｏ  ＰＣ１が設定されている。３はユーザの頭にセットされて乗用車の運転中においても安全に音声聴取が可能なヘッドセット装置（通信機器）で、短距離無線通信手段を有して携帯情報端末１と通信可能な短距離無線通信機能と、この短距離無線通信機能によって携帯情報端末１と無線通信接続して携帯情報端末１の音声入出力の代替手段として動作する機能と有する。また、ヘッドセット装置３は、デバイスアドレスとして００：００：００：００：０３、デバイス名としてＭｙ  Ｈｅａｄｓｅｔ１が設定されている。４，５はユーザが自宅に置いているＰＣ（通信機器）であって、短距離無線通信手段を有して携帯情報端末１と通信可能な短距離無線機能と、ユーザの名刺データやスケジュールを管理する機能とを有し、携帯情報端末１との間で名刺・スケジュールデータの交換を行う。ＰＣ４，５は、それぞれデバイスアドレスとして００：００：００：００：ＡＡ，００：００：００：００：ＢＢ、デバイス名としてＭｙ  ＮｏｔｅＰＣ１，Ｍｙ  ＮｏｔｅＰＣ２が設定されている。図示の例では、ユーザが自宅にいる場合、携帯情報端末１と短距離無線通信可能な距離にある通信機器はＰＣ４，５であり、ユーザが乗用車に乗車している場合では、携帯情報端末１と短距離無線通信可能な距離に存在する通信機器は車載型情報端末２とヘッドセット装置３である。
【００１８】
図２は図１中の携帯情報端末の構成を示すブロック図である。図において、６はデバイス探索・接続手段（短距離無線通信手段、リスト化手段）で、周辺の短距離無線通信手段を有する通信機器の存在を探索して、該通信機器と無線通信接続を確立する。７は周辺デバイスリスト化手段（リスト化手段）であって、デバイス探索・接続手段６によって周辺で検出された通信機器の組み合わせを組み合わせパタンとし、該組み合わせパタンにユーザが設定した処理手順を対応付けたパタンコマンドリスト１３を生成する。８は組み合わせパタン比較手段（類似度算出手段）で、記憶装置１１に予め記憶したパタンコマンドリスト１３における組み合わせパタンと周辺デバイスリスト化手段７が検出した組み合わせパタンとを比較して、これらの類似度を算出する。９はマンマシンインタフェース部１０などからの指示によって携帯情報端末１の処理コマンドを実行するシェルソフトウェア部（自動機能設定手段）であって、携帯情報端末１内の不図示の制御装置によって実行されるプログラム群から構成される。１０はユーザからの指示をシェルソフトウェア部９に伝達するマンマシンインタフェース部で、携帯情報端末１の表示装置や入力手段である操作キーなどから構成される。
【００１９】
１１は携帯情報端末１内の記憶装置（リスト記憶手段）であって、携帯情報端末１が外部との接続を行うための必要な情報の他に、周辺デバイスリスト化手段７が作成した全接続可能機器リスト１２、パタンコマンドリスト１３や名刺データ／スケジュールデータ１４を格納する。１２は記憶装置１１に格納した全接続可能機器リストで、過去に携帯情報端末１が無線通信接続した実績を持つ通信機器のデバイスアドレスやデバイス名をデータとして有している。１３は記憶装置１１に格納したパタンコマンドリスト（通信機器リスト）であって、周辺デバイスリスト化手段７によってレコード化した周辺通信機器の組み合わせである組み合わせパタンをユーザが設定した処理手順に対応付けたデータ構造を有しており、記憶装置１１に複数格納することができる。１４は記憶装置１１に格納した名刺データ／スケジュールデータで、ユーザが入力した名刺データ及びスケジュールデータ用のデータベースである。なお、図１と同一構成要素には同一符号を付して重複する説明を省略する。
【００２０】
次に動作について説明する。
図３は実施の形態１による自動機能設定システムの動作を示すフロー図である。図に示すように、実施の形態１による自動機能設定システムの動作は、大きく、任意の場所に存在する通信機器の組み合わせである組み合わせパタンを携帯情報端末１の所定の機能に対応付けて登録する登録フェーズ（ステップＳＴ１、リスト化ステップ）と、現所在地にて検出された周辺通信機器の組み合わせパタンと予め登録しておいた上記パタンとのマッチング処理を行う認識フェーズ（ステップＳＴ２、類似度算出ステップ、自動機能設定ステップ）とに分類される。
【００２１】
図４は図２中の登録フェーズにおける動作を示すフロー図であり、このフロー図に沿って携帯情報端末１が現所在地にて検出した通信機器の組み合わせパタンを携帯情報端末１の所定の機能に対応付けて登録するまでの処理について説明する。
先ず、ユーザはマンマシンインタフェース部１０を介して携帯情報端末１を操作して、パタンコマンドリスト１３の作成開始を指示する（ステップＳＴ１ａ）。これによって、携帯情報端末１内のデバイス探索・接続手段６は、記憶装置１１に格納した全接続可能機器リスト１２を読み出し、過去に携帯情報端末１と無線通信接続した実績のある通信機器のデバイス情報（デバイスアドレスやデバイス名）を取り出す（ステップＳＴ２ａ）。
【００２２】
図５は図２中の全接続可能機器リスト内のデータを表形式で表現した図である。図示の例において、全接続可能機器リスト１２は、短距離無線通信手段を有する各通信機器毎に固有に定められたデバイスアドレスと、各通信機器の所有者若しくは製造者が任意に定める文字列であるデバイス名との２項目からなるデータ構造をとっている。
携帯情報端末１内のデバイス探索・接続手段６は、図５に示すような全接続可能機器リスト１２中の１レコードよりデバイスアドレスを取得して、当該デバイスアドレスで特定される通信機器が短距離無線接続可能な距離内に存在するか否かを探索し、探索結果を周辺デバイスリスト化手段７に送信する（ステップＳＴ３ａ）。
具体的には、デバイス探索・接続手段６が現所在地に存在する通信機器毎に短距離無線通信接続を行って、通信接続の可否によって通信機器が短距離無線接続可能な距離内に存在するか否かを探索する。
【００２３】
携帯情報端末１内のデバイス探索・接続手段６は、全接続可能機器リスト１２にリストアップされた全ての通信機器について探索が終了するまで、上述したステップＳＴ２ａからステップＳＴ３ａまでの動作を繰り返し実行する（ステップＳＴ４ａ）。これによって、周辺デバイスリスト化手段７内には現所在地における通信機器の組み合わせである組み合わせパタンが作成される（ステップＳＴ５ａ）。
【００２４】
図６は上述のようにして作成された現所在地における通信機器の組み合わせパタンを示す図である。図６に示すように、周辺デバイスリスト化手段７が作成する組み合わせパタンは、現所在地における各通信機器のデバイスアドレス及びデバイス名がまとめられたデータ構造をしている。
また、図７は通信機器の組み合わせパタンの他の形態を示す図である。図７に示すように、組み合わせパタンとして、全接続可能機器リスト１２の各項目についての存在情報を１又は０のディジタル値で表した形態としても良い。
【００２５】
周辺デバイスリスト化手段７が現所在地における通信機器の組み合わせパタンを作成すると、ユーザに当該組み合わせパタンを検出した際、定型的に実行させたい携帯情報端末１の機能を選択する旨を、マンマシンインタフェース部１０を介して指示する。当該指示を受けると、ユーザはマンマシンインタフェース部１０を用いて定型的に実行させたい機能を設定する（ステップＳＴ６ａ）。
【００２６】
次に、ユーザがマンマシンインタフェース部１０を用いてユーザが入力した携帯情報端末１の機能の名称と周辺デバイスリスト化手段７内に蓄積された組み合わせパタンとを組にして、パタンコマンドリスト１３として登録する（ステップＳＴ７ａ）。
図８はパタンコマンドリストの登録内容を表形式で表現した図である。図８に示すように、パタンコマンドリスト１３には、デバイス探索・接続手段６によって検出された各通信機器の組み合わせパタンと携帯情報端末１の機能名称とから構成されたレコードが複数登録される。
パタンコマンドリスト１３が作成されることで、上述した一連の処理が完了する（ステップＳＴ８ａ）。以上のステップＳＴ１ａからステップＳＴ８ａまでの動作がリスト化ステップに相当する。
【００２７】
図９は図３中の認識フェーズにおける動作を示すフロー図であり、当該フロー図に沿って携帯情報端末１が周辺通信機器の状況を取得して組み合わせパタンを作成し、当該組み合わせパタンと既存のパタンコマンドリスト１３内の組み合わせパタンと比較して特定の機能を起動するまでの動作について説明する。
先ず、ユーザが携帯情報端末１のマンマシンインタフェース部１０を操作し、認識フェーズの開始を指示する（ステップＳＴ１ｂ）。これに続いて、携帯情報端末１内の周辺デバイスリスト化手段７は、全接続可能機器リスト１２を読み出して過去に携帯情報端末１と無線通信接続した実績がある通信機器のデバイス情報を取り出す（ステップＳＴ２ｂ）。
携帯情報端末１は、取り出した全接続可能機器リスト中の１レコードよりデバイスアドレスを取得して、デバイス探索・接続手段６を用いて当該デバイスアドレスを持つ無線機器が無線接続可能な距離内に存在するか否かを探索し、探索結果を周辺デバイスリスト化手段７に送信する（ステップＳＴ３ｂ）。
携帯情報端末１内の周辺デバイスリスト化手段７は、全接続可能機器リスト１２にリストアップされた全ての通信機器について探索が終了するまで、上述したステップＳＴ２ｂからステップＳＴ３ｂまでの動作を繰り返し実行する（ステップＳＴ４ｂ）。これによって、周辺デバイスリスト化手段７内には、上述した組み合わせパタン登録時と同様にして図６や図７のような現所在地における通信機器の組み合わせパタンが作成される。
【００２８】
次に、携帯情報端末１は、組み合わせパタン比較手段８を用いて、現所在地における通信機器の組み合わせパタンと、記憶装置１１に予め登録しておいたパタンコマンドリスト１３内の組み合わせパタンとの比較を行い、最も類似性の高い組み合わせパタンを有するパタンコマンドリスト１３を１つ選択する（ステップＳＴ５ｂ）。
具体的な比較方法を説明すると、周辺デバイスリスト化手段７が図６のような形態で組み合わせパタンを生成する場合であれば、同一のデバイスアドレス若しくは同一のデバイス名の通信機器がいくつ含まれているかを数値として類似度を算出する。例えば、図６に示した組み合わせパタンが検出された場合、この組み合わせパタンと図８に示したパタンコマンド１との類似度は２である（車載型情報端末２に係るデバイス情報及びヘッドセット装置３に係るデバイス情報の２つが一致する）のに対して、図６に示した組み合わせパタンとパタンコマンド２との類似度は０である（一致するデバイス情報がない）ためパタンコマンド１が選択される。
また、図７に示すような形態で組み合わせパタンを生成する場合であれば、組み合わせパタンの次元数内でのユークリッド距離を計算しその逆数を類似度として算出するようにしてもよい。
上述したステップＳＴ１ｂからステップＳＴ５ｂまでの動作が類似度算出ステップに相当する。
【００２９】
組み合わせパタン比較手段８によって最も類似性の高い組み合わせパタンが選択されると、当該組み合わせパタンに対応するパタンコマンドリスト１３がシェルソフトウェア部９に送信される。シェルソフトウェア部９は、ステップＳＴ５ｂにて選択された組み合わせパタンに対応するパタンコマンドリスト１３に格納された機能名を用いて対応する機能を読み出し、当該機能を行うの必要な設定を自動的に行うとともに、マンマシンインタフェース部１０を介してユーザに上記機能を設定した旨を提示し処理を終了する。（ステップＳＴ６ｂ、自動機能設定ステップ）。
以上により、ユーザは携帯情報端末１が提示した機能をマンマシンインタフェース部１０を介して１操作で起動することが可能となる（ステップＳＴ７ｂ）。
【００３０】
上述の場合では、図８に示したパタンコマンド１内の機能名よって機能が選択されるため、携帯情報端末１がドライブモードに切り替わり、携帯情報端末１の音声着信時における音声入出力パスが携帯情報端末１からデバイスアドレス００：００：００：００：０３で特定される車載情報端末２に切り替る。さらに、携帯情報端末１に対するメール着信時の蓄積・表示を行う端末もデバイスアドレス００：００：００：００：０３で特定される車載情報端末２に切り替わることとなる。
【００３１】
また、ユーザが携帯情報端末１を所持したまま自宅の環境に移動すると、周辺デバイスの組み合わせパタンとして図１０に示すような組み合わせパタンが検出される。これによって、上述したものと同様の動作を行うことによって、図８に示すパタンコマンド２が選択され、従来のような複数のステップを踏むことなく、携帯情報端末１内の名刺データ／スケジュールデータ１４を自宅のＰＣ４，５のＰＩＭ機能によって同期処理することができる。
【００３２】
以上のように、この実施の形態１によれば、短距離無線通信機能を用いて周辺に存在する他の通信機器毎に無線通信接続して存在を確認するとともに、それらをまとめた組み合わせパタンを生成し、現所在地における通信機器の組み合わせパタンと所定の機能毎に対応付けて予め記憶した組み合わせパタンとを比較して類似度を算出して、この類似度の値に応じて予め記憶した組み合わせパタンに対応付けた所定の機能を読み出して設定するので、周辺に存在する無線通信可能な通信機器の存在状況を検出して自動的に処理を行うことができることから、上述したような定型的な操作を組み合わせパタンに対応付けて登録しておくことで該操作を簡便に行うことができる。また、定型的な操作を提示したり、自動的に起動させることで、ユーザの操作ミスを低減することができる。
【００３３】
なお、上記実施の形態１では、ステップＳＴ６ｂにてユーザに対して処理を提示して実行を促す例を示したが、ユーザが予め許可をしている機能にあっては自動的に起動するようにしても良い。
【００３４】
また、上記実施の形態１では、携帯情報端末１のみが短距離無線通信手段を有する通信機器による周辺通信機器の探索機能を利用した機能の自動設定を行う例を示したが、周辺通信機器側においても携帯情報端末１を検出することによって機能の自動設定を行うようにしてもよい。このように構成することで、携帯情報端末１やその周辺通信機器からなるシステムの利便性をさらに向上させることができる。
【００３５】
実施の形態２．
上記実施の形態１では、周辺の無線通信可能な通信機器に対して携帯情報端末１が無線通信接続することによって探索を試みる例を示したが、Ｂｌｕｅｔｏｏｔｈ（登録商標）通信プロトコルにおける汎用探索可能デバイスのように、任意の通信機器からの無線探索要求に対して自己のデバイスアドレスを応答するように設定されているものがある。
そこで、この実施の形態２は、携帯情報端末１が周辺の通信機器に対して上記探索コマンドを送信するのみで、この探索コマンドにデバイスアドレスを応答した通信機器について周辺デバイスリストを作成するようにしたものである。
【００３６】
この実施の形態２による自動機能設定システムや携帯情報端末１の基本的な構成は、上記実施の形態１と同様であるが、上述したようにデバイス探索・接続手段６や周辺デバイスリスト化手段７の動作が上記実施の形態１と異なる。ここでは、このような上記実施の形態１との相違点について主に説明し、他の同様な部分についての重複する説明は省略する。
【００３７】
次に概要について説明する。
先ず、この実施の形態２では、図４のフロー図におけるステップＳＴ２ａからステップＳＴ４ａまでの処理及び図９のフロー図におけるステップＳＴ２ｂからステップＳＴ４ｂまでの処理を各々１つのコマンドで実行することができる。
図１１はこの発明の実施の形態２による自動機能設定システムにおける携帯情報端末の動作を示すフロー図であり、このフロー図に沿って説明する。
先ず、ユーザはマンマシンインタフェース部１０を介して携帯情報端末１を操作して、パタンコマンドリスト１３の作成モードを起動させる（ステップＳＴ１ｃ）。これによって、実施の形態２による携帯情報端末１内のデバイス探索・接続手段６は、周辺に存在する通信機器を探索するための探索コマンドを常時送信する。上述したように、この実施の形態２では、組み合わせパタンにリストアップする通信機器としてＢｌｕｅｔｏｏｔｈ（登録商標）通信プロトコルにおける汎用探索可能デバイスのように、任意の通信機器からの無線探索要求に対して自己のデバイスアドレスを応答するように設定されているものを対象としている。このため、デバイス探索・接続手段６は、発信した探索コマンドに対して自己のデバイスアドレスを応答してきた通信機器をリスト化の対象とし、これら通信機器に係るデバイス情報を周辺デバイスリスト化手段７に送信する。周辺デバイスリスト化手段７では、デバイス探索・接続手段６から受信したデバイス情報に基づいて現所在地における周辺通信機器の組み合わせパタンを生成する（ステップＳＴ２ｃ、リスト化ステップ）。ここまでの処理が１ステップで行われる。
【００３８】
周辺デバイスリスト化手段７によって作成された現所在地における周辺通信機器の組み合わせパタンは、組み合わせパタン比較手段８に送信される。
組み合わせパタン比較手段８は、現所在地における通信機器の組み合わせパタンと、記憶装置１１に予め登録しておいたパタンコマンドリスト１３内の組み合わせパタンとの比較を行い、類似度が一定値を越えているか判定する（ステップＳＴ４ｃ、類似度算出ステップ）。このとき、予め登録しておいたパタンコマンドリスト１３内の組み合わせパタンとの類似度が一定値を越えていないと、パタンコマンドリスト１３内の組み合わせパタンに合致しないものとして、ステップＳＴ２ｃからの処理を繰り返す。
【００３９】
一方、予め登録しておいたパタンコマンドリスト１３内の組み合わせパタンとの類似度が一定値を越えていると、当該組み合わせパタンに対応するパタンコマンドリスト１３がシェルソフトウェア部９に送信される。シェルソフトウェア部９は、ステップＳＴ４ｃにて選択された組み合わせパタンに対応するパタンコマンドリスト１３に格納された機能名を用いて対応する機能を読み出し、当該機能を行うのに必要な設定を自動的に行うとともに、マンマシンインタフェース部１０を介してユーザに上記機能を設定した旨を提示し処理を終了する。（ステップＳＴ５ｃ、自動機能設定ステップ）。
以上により、ユーザは携帯情報端末１が提示した機能を、マンマシンインタフェース部１０を介して１操作で起動した後は、再びステップＳＴ２ｃからの処理が繰り返される。
【００４０】
以上のように、この実施の形態２によれば、短距離無線通信手段を用いて現所在地の周辺に存在する通信機器に探索コマンドを常時送信するとともに、該探索コマンドに対して応答した通信機器の組み合わせパタンを生成し、類似度が所定値を超えると、予め記憶しておいた通信機器の組み合わせパタンに対応付けた所定の機能を読み出して設定するので、ユーザが操作を行うことなく、場所を移動するだけで、周辺の通信機器の組み合わせパタンの変化を自動検出することができる。これにより、ユーザは携帯情報端末１に係る定型的な操作を簡便に行うことができる。また、定型的な操作を提示若しくは自動実行することによりユーザの操作ミスを低減することができる。
【００４１】
また、上記実施の形態２では、携帯情報端末１のみが短距離無線通信手段を有する通信機器による周辺通信機器の探索機能を利用した機能の自動設定を行う例を示したが、周辺通信機器側においても携帯情報端末１を検出することによって機能の自動設定を行うようにしてもよい。このように構成することで、携帯情報端末１やその周辺通信機器からなるシステムの利便性をさらに向上させることができる。
【００４２】
実施の形態３．
上記実施の形態１では周辺通信機器から取得したデバイスアドレス及びデバイス名のみを用いて組み合わせパタンを生成する例を示したが、この実施の形態３はＢｌｕｅｔｏｏｔｈ（登録商標）規格におけるデバイスクラス（種類情報）のように、個々の通信機器がどのような種類の機器に分類されるかを示す識別子も含めて、類似度算出に用いるようにしたものである。
【００４３】
この実施の形態３による自動機能設定システムや携帯情報端末１の基本的な構成は、上記実施の形態１と同様であるが、デバイス探索・接続手段６、周辺デバイスリスト化手段７や組み合わせパタン比較手段８の動作、及び全接続可能機器リスト１２やパタンコマンドリスト１３の内容が上記実施の形態１や上記実施の形態２と異なる。ここでは、このような上記実施の形態１や上記実施の形態２との相違点について主に説明し、他の同様な部分についての重複する説明は省略する。
【００４４】
次に概要について説明する。
先ず、図３における登録フェーズ（リスト化ステップ）における動作について説明すると、上記実施の形態１と同様にして、携帯情報端末１内のデバイス探索・接続手段６が現所在地の周辺に存在する通信機器からデバイス情報を取得する。このとき、この実施の形態３によるデバイス探索・接続手段６では、デバイスアドレスやデバイス名の他に、通信機器の種類を分類するデバイスクラスをデバイス情報として取得する。デバイス探索・接続手段６が取得したデバイス情報は、周辺デバイスリスト化手段７に送信される。
【００４５】
周辺デバイスリスト化手段７では、記憶装置１１から全接続可能機器リスト１２を読み出して過去に携帯情報端末１と無線通信接続した実績がある通信機器のデバイス情報を取り出して、現所在地における通信機器の組み合わせパタンを作成する。
【００４６】
図１２はこの発明の実施の形態３による自動機能設定システムの携帯情報端末における全接続可能機器リストを表形式で示した図である。図に示すように、この実施の形態３ではデバイスクラスが新たな項目として追加されている。ここでは、デバイスクラスとして、車載型情報端末２についてはＡｕｄｉｏ、ヘッドセット装置３についてはＨｅａｄｓｅｔ、ＰＣ４，５については共通のデバイスクラスＬａｐｔｏｐが対応付けられており、携帯情報端末１以外の携帯電話（太郎所有）についてはＣｅｌｌｕｌａｒ、自己の電話（携帯情報端末１以外）についてＰｈｏｎｅが対応付けられている。
【００４７】
周辺デバイスリスト化手段７が現所在地における通信機器の組み合わせパタンを作成すると、ユーザに当該組み合わせパタンを検出した際、定型的に実行させたい携帯情報端末１の機能を選択する旨を、マンマシンインタフェース部１０を介して指示する。当該指示を受けると、ユーザはマンマシンインタフェース部１０を用いて定型的に実行させたい機能を設定する。
【００４８】
図１３は実施の形態３によるパタンコマンドリストの登録内容を表形式で表現した図である。図に示すように、自家用車内を想定したパタンコマンド１では、車載情報端末２についてデバイスアドレス００：００：００：００：０３、デバイス名Ｍｙ  ＡｕｔｏＰＣ１、デバイスクラスＡｕｄｉｏが設定されているが、ヘッドセット装置３についてはデバイスアドレス、デバイス名を限定せずデバイスクラスＨｅａｄｓｅｔのみが設定されている。また、これに対応付けられた機能としては、上記実施の形態１で示した図８におけるパタンコマンド１と同様である。
【００４９】
一方、自宅内を想定したパタンコマンド２では、ＰＣ４，５にそれぞれ対応するデバイスアドレス、デバイス名に加えて共通のデバイスクラスＬａｐｔｏｐが設定されている。これに対応付けられた機能も、上記実施の形態１で示した図８におけるパタンコマンド２と同様である。
【００５０】
次に、図３における認識フェーズ（類似度算出ステップ、自動機能設定ステップ）における動作について説明すると、上記実施の形態１や上記実施の形態２と同様にして、デバイス探索・接続手段６及び周辺デバイスリスト化手段７によって現所在地における周辺通信機器の組み合わせパタンを生成する。
【００５１】
図１４は実施の形態３による携帯情報端末が作成した通信機器の組み合わせパタンを示す図である。ここでは、デバイスアドレス００：００：００：００：０４、デバイス名Ｓｏｍｅ  Ｈｅａｄｓｅｔ１、デバイスクラスＨｅａｄｓｅｔで特定される全接続可能機器リスト１２に記載されていないヘッドセット装置のデバイス情報とともに、デバイスアドレス００：００：００：００：０３、デバイス名Ｍｙ  ＡｕｔｏＰＣ１、デバイスクラスＡｕｄｉｏで特定される車載型情報端末２のデバイス情報が検出されている。
このとき、この実施の形態３による組み合わせパタン比較手段８では、デバイスアドレス及びデバイス名は一致しないが、同一デバイスクラスであれば、同一通信機器であるものとして認識して類似度を算出する（類似度算出ステップ）。これによって、図１３に示したパタンコマンド１が選択される。
これ以降の動作は上記実施の形態１や上記実施の形態２と同様であるので説明を省略する。
【００５２】
以上のように、この実施の形態３によれば、周辺に存在する通信機器に無線通信接続した際に得られる通信機器のデバイスクラス（種類情報）を用いて類似度を算出するにあたり、同一種類情報を有するもの同士を同一の通信機器と仮定するので、類似した機能を持つ代替通信機器が周辺に存在すれば目的の機能を呼び出せるようにすることができる。これにより、ユーザは定型的な操作を簡便に行うことができる。また、定型的な操作を提示若しくは自動実行することによりユーザの操作ミスを低減することができる。
【００５３】
また、上記実施の形態３では、携帯情報端末１のみが短距離無線通信手段を有する通信機器による周辺通信機器の探索機能を利用した機能の自動設定を行う例を示したが、周辺通信機器側においても携帯情報端末１を検出することによって機能の自動設定を行うようにしてもよい。このように構成することで、携帯情報端末１やその周辺通信機器からなるシステムの利便性をさらに向上させることができる。
【００５４】
【発明の効果】
以上のように、この発明によれば、短距離無線通信手段を用いて、他の短距離無線通信手段を有する通信機器の存在を検出する機能を備えた情報端末装置において、短距離無線通信手段を用いて周辺に存在する各通信機器に無線通信接続して存在を確認し、無線通信接続が確立された通信機器の組み合わせをまとめた通信機器リストを生成するリスト化手段と、通信機器リストを所定の機能毎に対応付けて記憶するリスト記憶手段と、リスト化手段が検出した現所在地における通信機器リストとリスト記憶手段に予め記憶した所定の機能毎に対応付けた通信機器リストとを比較して、リスト記憶手段に記憶された所定の機能毎に類似度を算出する類似度算出手段と、類似度算出手段が算出した類似度の値に応じて、リスト記憶手段に予め記憶した通信機器リストに対応付けた所定の機能を読み出して設定する自動機能設定手段とを備えるので、周辺に存在する無線通信可能な通信機器の存在状況を検出して自動的に処理を行うことができることから、上述したような定型的な操作を通信機器リストに対応付けて登録しておくことで該操作を簡便に行うことができるという効果がある。また、定型的な操作を提示したり、自動的に起動させることで、ユーザの操作ミスを低減することができるという効果がある。
【００５５】
この発明によれば、リスト化手段が短距離無線通信手段を用いて現所在地の周辺に存在する通信機器に探索コマンドを常時送信し、該探索コマンドに対して応答した通信機器の通信機器リストを生成し、類似度算出手段が算出した類似度が所定値を超えると、自動機能設定手段がリスト記憶手段に予め記憶した通信機器リストに対応付けた所定の機能を読み出して設定するので、ユーザが操作を行うことなく、場所を移動するだけで、周辺の通信機器の通信機器リストの変化を自動的に検出することができるという効果がある。
【００５６】
この発明によれば、リスト化手段が周辺に存在する通信機器に無線通信接続した際に得られる通信機器の種類情報を用いて類似度算出手段が類似度を算出するにあたり、同一種類情報を有するもの同士を同一の通信機器と仮定するので、類似した機能を持つ代替通信機器が周辺に存在すれば目的の機能を呼び出せるようにすることができるという効果がある。
【００５７】
この発明によれば、短距離無線通信手段を用いて他の通信機器の存在を検出する機能を有する複数の通信機器からなるシステムであって、複数の通信機器は、短距離無線通信手段を用いて周辺に存在する他の通信機器毎に無線通信接続して存在を確認し、無線通信接続が確立された通信機器の組み合わせをまとめた通信機器リストを生成するリスト化手段と、通信機器リストを所定の機能毎に対応付けて記憶するリスト記憶手段と、リスト化手段が検出した現所在地における通信機器リストとリスト記憶手段に予め記憶した所定の機能毎に対応付けた通信機器リストとを比較して、リスト記憶手段に記憶された所定の機能毎に類似度を算出する類似度算出手段と、類似度算出手段が算出した類似度の値に応じて、リスト記憶手段に予め記憶した通信機器リストに対応付けた所定の機能を読み出して設定する自動機能設定手段とをそれぞれ備えるので、周辺に存在する無線通信可能な通信機器同士で互いの存在状況を検出して自動的に機能設定を行うことから、ユーザに対する利便性をさらに向上させることができるという効果がある。
【００５８】
この発明によれば、リスト化手段が短距離無線通信手段を用いて現所在地の周辺に存在する通信機器に探索コマンドを常時送信するとともに、探索コマンドに対して応答した通信機器の通信機器リストを生成し、類似度算出手段が算出した類似度が所定値を超えると、自動機能設定手段がリスト記憶手段に予め記憶した通信機器リストに対応付けた所定の機能を読み出して設定するので、ユーザが操作を行うことなく、場所を移動するだけで、周辺の通信機器の通信機器リストの変化を自動的に検出するシステムを提供することができるという効果がある。
【００５９】
この発明によれば、リスト化手段が周辺に存在する通信機器に無線通信接続した際に得られる通信機器の種類情報を用いて類似度算出手段が類似度を算出するにあたり、同一種類情報を有するもの同士を同一の通信機器と仮定するので、類似した機能を持つ代替通信機器が周辺に存在すれば目的の機能を呼び出すシステムを提供することができるという効果がある。
【００６０】
この発明によれば、短距離無線通信手段を用いて他の通信機器の存在を検出する機能を有する通信機器の機能設定方法であって、短距離無線通信手段を用いて周辺に存在する各通信機器に無線通信接続して存在を確認し、無線通信接続が確立された通信機器の組み合わせをまとめた通信機器リストを生成するリスト化ステップと、リスト化ステップにて検出された現所在地における通信機器リストと所定の機能毎に対応付けて予め記憶した通信機器リストとを比較して、所定の機能毎に類似度を算出する類似度算出ステップと、類似度算出ステップにて算出された類似度の値に応じて、予め記憶した通信機器リストに対応付けた所定の機能を読み出して設定する自動機能設定ステップとを備えるので、周辺に存在する無線通信可能な通信機器の存在状況を検出して自動的に処理を行うことができるという効果がある。
【００６１】
この発明によれば、リスト化ステップにて、短距離無線通信手段を用いて現所在地の周辺に存在する通信機器に探索コマンドを常時送信するとともに、該探索コマンドに対して応答した通信機器の通信機器リストを生成し、自動機能設定ステップにて、類似度算出ステップで算出された類似度が所定値を超えると、予め記憶した通信機器リストに対応付けた所定の機能を読み出して設定するので、ユーザが操作を行うことなく、場所を移動するだけで、周辺の通信機器の通信機器リストの変化を自動的に検出することができるという効果がある。
【００６２】
この発明によれば、類似度算出ステップにて、リスト化ステップで周辺に存在する通信機器に無線通信接続した際に得られる通信機器の種類情報を用いて類似度を算出するにあたり、同一種類情報を有するもの同士を同一の通信機器と仮定するので、類似した機能を持つ代替通信機器が周辺に存在すれば目的の機能を呼び出すことができるという効果がある。
【図面の簡単な説明】
【図１】  この発明の実施の形態１による自動機能設定システムの構成を示す図である。
【図２】  図１中の携帯情報端末の構成を示すブロック図である。
【図３】  実施の形態１による自動機能設定システムの動作を示すフロー図である。
【図４】  図２中の登録フェーズにおける動作を示すフロー図である。
【図５】  図２中の全接続可能機器リスト内のデータを表形式で表現した図である。
【図６】  通信機器の組み合わせパタンを示す図である。
【図７】  通信機器の組み合わせパタンの他の形態を示す図である。
【図８】  図８はパタンコマンドリストの登録内容を表形式で表現した図である。
【図９】  図３中の認識フェーズにおける動作を示すフロー図である。
【図１０】  通信機器の組み合わせパタンの他の例を示す図である。
【図１１】  この発明の実施の形態２による自動機能設定システムにおける携帯情報端末の動作を示すフロー図である。
【図１２】  この発明の実施の形態３による自動機能設定システムの携帯情報端末における全接続可能機器リストを表形式で示した図である。
【図１３】  実施の形態３によるパタンコマンドリストの登録内容を表形式で表現した図である。
【図１４】  実施の形態３による携帯情報端末が作成した通信機器の組み合わせパタンを示す図である。
【符号の説明】
１  携帯情報端末（情報端末装置、通信機器）、２  車載型情報端末（通信機器）、３  ヘッドセット装置（通信機器）、４，５  ＰＣ（通信機器）、６  デバイス探索・接続手段（短距離無線通信手段、リスト化手段）、７  周辺デバイスリスト化手段（リスト化手段）、８  組み合わせパタン比較手段（類似度算出手段）、９  シェルソフトウェア部（自動機能設定手段）、１０  マンマシンインタフェース部、１１  記憶装置（リスト記憶手段）、１２  全接続可能機器リスト、１３  パタンコマンドリスト（通信機器リスト）、１４  名刺データ／スケジュールデータ。
【図１】
0004024492.tif 000002
【図２】
0004024492.tif 000003
【図３】
0004024492.tif 000004
【図４】
0004024492.tif 000005
【図５】
0004024492.tif 000006
【図６】
0004024492.tif 000007
【図７】
0004024492.tif 000008
【図８】
0004024492.tif 000009
【図９】
0004024492.tif 000010
【図１０】
0004024492.tif 000011
【図１１】
0004024492.tif 000012
【図１２】
0004024492.tif 000013
【図１３】
0004024492.tif 000014
【図１４】
0004024492.tif 000015